(57)【要約】【課題】天井本体の所定位置に浴室用の付帯器具を簡単に取り付けることができると共に、長期に亘り安定したシール状態を維持することができる浴室天井を提供する。【解決手段】天井本体の所定位置に、外面部が外方に膨らみ内面部に取付孔が形成された膨出部を設けると共に、該膨出部の中空部内に内蔵した状態で前記付帯器具を天井本体に取り付ける。前記天井本体は、その中空部内に発泡材が充填され、前記膨出部は、その外面部に配線用の開口が設けられ、この外面部の開口と付帯器具との間にシール手段が介装される。【選択図】  図２
2004250921.tif 000002
【特許請求の範囲】
【請求項１】
外面部、内面部及び側面部により内部に中空部を有して板状に一体成形された天井本体と、該天井本体の所定位置に配設された浴室用の付帯器具とを有する浴室天井であって、
前記天井本体の所定位置に、外面部が外方に膨らみ内面部に取付孔が形成された膨出部を設けると共に、該膨出部の中空部内に内蔵した状態で前記付帯器具を天井本体に取り付けてなることを特徴とする浴室天井。
【請求項２】
前記天井本体は、その中空部内に発泡材が充填されていることを特徴とする請求項１に記載の浴室天井。
【請求項３】
前記膨出部は、その外面部に配線用の開口が設けられていることを特徴とする請求項１または２に記載の浴室天井。
【請求項４】
前記外面部の開口と付帯器具との間にシール手段が介装されていることを特徴とする請求項３に記載の浴室天井。
【請求項５】
前記膨出部は、天井本体に帯状に形成されていることを特徴とする請求項１ないし４のいずれかに記載の浴室天井。
【発明の詳細な説明】
【０００１】
【発明の属する技術分野】
本発明は、例えばシステムバスルーム等の浴室の天井に係わり、特に照明装置やスピーカ等の浴室用の付帯器具が配設される浴室天井に関する。
【０００２】
【従来の技術】
従来、ブロー成形、スーパーブロー成形等によって形成される浴室の天井は、例えば図６に示すように形成されている。この浴室天井１００は、外面部１０１と内面部１０２及びこれらの外周を連結する側面部１０３とにより内部に中空部１０４を有する如く成形されると共に、成形と同時に中空部１０４内で発泡材を発泡させることにより発泡層１０５が一体形成され、全体として略同一板厚を有する所定形状（ドーム形状もしくはフラット形状）の板状に形成されている。なお、この種の浴室天井としては、例えば特許文献１に開示されている。
【０００３】
【特許文献１】
特開平９−２０３１５５号公報
【０００４】
【発明が解決しようとする課題】
しかしながら、このような浴室天井１００においては、全体が略同一板厚の板状に形成されているため、例えば浴室天井１００に照明装置やスピーカ等の浴室用の付帯器具を取り付ける場合に、シール作業を含めた取付作業が面倒であると共に、取付部分に長期に亘り安定したシール状態を確保することが難しいという問題点を有している。
【０００５】
すなわち、浴室用の付帯器具として、例えば、浴槽内にスポットライトを照射し浴室内に反射光による幻想的な雰囲気を醸し出すことが可能なダウンライト照明装置を取り付ける場合、図７に示すように、先ず、浴室天井１００の所定位置の外面部１０１と内面部１０２に所定の大きさの取付孔を形成すると共に、該取付孔部分の発泡層１０５を切除等により取り除いて、上下に貫通した取付孔１０７を形成する。そして、ダウンライト照明装置１０６の本体１０６ａを内面部１０２の取付孔から上方に向けて嵌挿し、取付板１０６ｂを内面部１０２の内面に当接させシール材１０８を介して例えばネジ固定することで、ダウンライト照明装置１０６を浴室天井１００に取り付ける。
【０００６】
この時、浴室天井１００の板厚が天井全域に亘って略同一板厚に設定されていることから、取付孔１０７に取り付けられたダウンライト照明装置１０６は、その本体１０６ａ上部が外面部１０１より上方に所定寸法突出した状態となる。そして、この取付状態において、取付孔１０７により浴室内外が連通状態となることから、浴室内からの水漏れや蒸気漏れを防止するために、取付孔１０７の周囲であるダウンライト照明装置１０６の取付板１０６ｂと内面部１０２との間の全周をシール材１０８で確実にシールする必要がある。そのため、このシール材１０８のシール作業が、特に内面部１０２の表面にしぼ模様がある場合等に困難になったり、シール作業のバラツキ等により安定したシール状態を長期に亘り維持することが難しくなる。
【０００７】
本発明は、このような事情に鑑みてなされたもので、その目的は、天井本体の所定位置に浴室用の付帯器具を簡単に取り付けることができると共に、長期に亘り安定したシール状態を維持することができる浴室天井を提供することにある。
【０００８】
【課題を解決するための手段】
かかる目的を達成すべく、本発明のうち請求項１に記載の発明は、外面部、内面部及び側面部により内部に中空部を有して板状に一体成形された天井本体と、該天井本体の所定位置に配設された浴室用の付帯器具とを有する浴室天井であって、前記天井本体の所定位置に、外面部が外方に膨らみ内面部に取付孔が形成された膨出部を設けると共に、該膨出部の中空部内に内蔵した状態で前記付帯器具を天井本体に取り付けてなることを特徴とする。
【０００９】
このように構成することにより、浴室天井の所定位置に取り付けられる浴室用の付帯器具は、天井本体に予め設けられた膨出部に取り付けられる。この時、付帯器具が膨出部の中空部内に内蔵された状態で取り付けられて天井本体の外面部の外側に露出しないことから、例えば外面部に取付孔等を形成する必要がなくなり、付帯器具を外面部等で確実にシールしつつ簡単に取り付けできる。
【００１０】
そして、前記天井本体は、請求項２に記載の発明のように、その中空部内に発泡材が充填されていることが好ましい。このように構成することにより、中空部に発泡材が充填されることから、浴室天井の剛性等を高めて付帯器具の取付強度アップが図れると共に、発泡材の断熱効果等によって付帯器具から天井各部への熱伝導等が防止される。
【００１１】
また、前記膨出部は、請求項３に記載の発明のように、その外面部に配線用の開口が設けられていることが好ましく、この場合、請求項４に記載の発明のように、前記外面部の開口と付帯器具との間にシール手段が介装されていることが好ましい。このように構成することにより、天井本体の外面部に配線用の開口が設けられていることから、付帯器具を中空部内に内蔵した状態でこの開口から付帯器具の配線を浴室天井外に引き出すことができて、配線構造が簡略化される。この時、比較的小さな開口と付帯器具との間にシール手段を介装することで、付帯器具の取付部分に所定のシール状態が容易に確保される。
【００１２】
また、前記膨出部は、請求項５に記載の発明のように、天井本体に帯状に形成されていることが好ましい。このように構成することにより、膨出部が帯状に形成されていることから、付帯器具の取付位置の自由度が向上し、付帯器具を膨出部の所望位置に簡単に取り付けできる。
【００１３】
【発明の実施の形態】
以下、本発明の実施の形態を図面に基づいて詳細に説明する。
図１〜図４は、本発明に係わる浴室天井の一実施形態を示し、図１が該天井を使用した浴室の内部斜視図、図２が天井の断面図、図３がその平面図、図４が付帯器具の取付方法の説明図である。
【００１４】
図１において、システムバスルーム等の浴室１は、防水パン２と、４枚の浴室壁面としての壁パネル３ａ〜３ｄ（壁パネル３ｄは図示せず）及び浴室天井の天井本体としての例えばドーム型の２枚の天井パネル４ａ、４ｂによって略箱状に形成され、前記防水パン２の壁パネル３ａ側には浴槽５が設置されると共に、この浴槽５の側方の防水パン２上には洗い場６が設けられている。また、洗い場６の壁パネル３ｂ側にはカウンタ７が設けられ、このカウンタ７上方の壁パネル３ｂには、水栓９、シャワー１０、ミラー１１、収納棚１２等が一体的に組み込まれたミラーパネル８が配置されている。
【００１５】
また、前記天井パネル４ａには、浴槽５内にスポットライトを照射し、水面からの反射光により浴室１内に光による幻想的な雰囲気を醸し出すための付帯器具としてのダウンライト照明装置１３（以下、単に照明装置１３という）が配置されている。この照明装置１３は、例えばブロー成形等によって一体成形された浴槽５側の天井パネル４ａの膨出部１４に取り付けられている。すなわち、天井本体としての前記天井パネル４ａ、４ｂは、図２及び図３に示すように、外面部１５と内面部１６及び側面部１７とで内部に中空部１８を有して一体成形される共に、中空部１８内に成形と同時に発泡ウレタン等の発泡材１９が充填され、全体としてドーム形状を呈した所定板厚の板状に形成されている。
【００１６】
そして、２枚の天井パネル４ａ、４ｂのうち浴槽５側の天井パネル４ａには、ドーム形状の曲線方向イの略中間位置に、外面部１５が外方に所定寸法膨出した膨出部１４が一体形成されている。この膨出部１４は、例えば幅Ｗ・厚さＴで天井パネル４ａの曲線方向イの略中間位置に平面視で略正方形状（もしくは円形等）に形成されている。また、膨出部１４には、その内面部１６に形成された所定内径の取付孔２０ａと、内面部１６上の発泡材１９に形成され取付孔２０ａと略同一大きさの取付孔２０ｂからなる取付孔２０が形成され、この取付孔２０の上部の外面部１５には、取付孔２０より小径の開口２１が形成されている。
【００１７】
一方、前記照明装置１３は、内部にハロゲンランプ等の照明灯２３ａが内蔵された有底筒状の本体２３と、この本体２３の光の照射口となる開口端部に鍔状に形成された取付部２４と、本体２３の底部２３ｂから外部に引き出された配線２５（電源コード）等で構成されている。そして、この照明装置１３は、その本体２３が膨出部１４の取付孔２０内に内蔵された状態で、取付部２４が内面部１６の内面にネジ２７で固定されることで膨出部１４に取り付けられ、この時、照明装置１３の本体２３の底部２３ｂと膨出部１４の外面部１５の内面間にはシール材２６（シール手段）が介装されている。
【００１８】
なお、この例では、天井パネル４ａに一体形成される膨出部１４を、照明装置１３の取付位置に該照明装置１３の形状に略対応する大きさで設けたが、例えば図３の二点鎖線ａで示すように、天井パネル４ａの曲線方向イと直交する方向に該天井パネル４ａの幅と略同一長さで帯状に設けることもできるし、二点鎖線ｂで示すように、天井パネル４ａの曲線方向イと平行に所定長さの帯状に設けることもできる。このように膨出部１４を帯状に設けた場合は、照明装置１３の取付位置の自由度を向上させることができる。また、平面視所定形状もしくは帯状の膨出部１４の位置も、例えば二点鎖線ｃに示すように天井パネル４ａの中央位置からずらした位置に設けることもできるし、膨出部１４自体の高さＴや幅Ｗ等の形状も付帯器具（照明装置１３）の形状等に応じて適宜に変更できる。
【００１９】
ここで、この照明装置１３の天井パネル４ａへの取付方法の一例を、図４に基づいて説明する。先ず、天井パネル４ａ、４ｂはそれぞれ所定の型によって成形され、浴槽側の天井パネル４ａには設計段階で予め設定された位置に膨出部１４が一体形成される。この膨出部１４は、成形時において図４（ａ）に示すように、膨出部１４の外面部１５と内面部１６及び発泡材１９は取付孔２０や開口２１の無い状態で形成されている。
【００２０】
そして、この状態で、平面視略正方形状の膨出部１４の内面部１６に、例えば所定内径の円形の取付孔２０ａを穿設し、この取付孔２０ａに対応させてその上部の発泡材１９を切除等によって取り除いて取付孔２０ｂを形成する。これにより、図４（ｂ）に示すように、膨出部１４の内面部１６と発泡材１９に照明装置１３の本体２３の外径に対応した取付孔２０が形成される。また、取付孔２０の略中心位置の外面部１５に比較的小さい所定内径の例えば円形の開口２１を穿設する。
【００２１】
膨出部１４に取付孔２０と開口２１を形成したら、取付孔２０の内面部１６側から、照明装置１３の本体２３を図４（ｂ）の矢印ロの如く嵌挿させると共に、開口２１から本体２３の配線２５を外面部１５の外方に引き出し、本体２３を膨出部１４の取付孔２０内に位置させる。この時、本体２３の底部２３ｂに円環状で所定板厚（あるいは適宜形状）のシール材２６を貼付等により固着すると共に、シール材２６の孔から配線２５を上方に引き出した状態で本体２３を取付孔２０内に嵌挿し、照明装置１３の取付部２４を膨出部１４の内面部１６内面に当接させる。
【００２２】
この状態で、取付部２４を内面部１６にネジ２７で固定することにより、照明装置１３が天井パネル４ａの膨出部１４に取り付けられ、この時、照明装置１３の本体２３は、膨出部１４の内部に内蔵されると共に、本体２３の底部２３ｂと膨出部１４の外面部１５内面との間にシール材２６が介装された状態となる。このシール材２６により、外面部１５に形成された開口２１部分がシールされ、取付孔２０部分における天井パネル４ａの内外の気密性が確保されて、図２に示すように、照明装置１３が膨出部１４に取り付けられる。なお、本体２３の高さ寸法と膨出部１４の高さ寸法Ｔ等により、本体２３の底部２３ｂに固着されたシール材２６の板厚が予め所定値に設定されることで、シール材２６が本体２３と外面部１５の内面間にシール状態で介装されることになる。
【００２３】
このように、上記実施形態の浴室１の天井パネル４ａにあっては、天井パネル４ａの所定位置に外面部１５が外方に膨出した膨出部１４が一体形成され  この膨出部１４の内部に照明装置１３の本体２３が内蔵した状態で取り付けられるため、本体２３を外面部１５の外方に突出させることなく、照明装置１３を天井パネル４ａに見栄え良く取り付けることができると共に、照明装置１３の配線２５が外面部１５に形成された小さな開口２１から天井パネル４ａの外側に引き出されるため、配線作業を簡単かつ見栄え良くに行うことができる。また、照明装置１３が取り付けられる膨出部１４の取付孔２０のシールが、開口２１部分に例えば円環状のシール材２６を介装させることで行われるため、シール作業自体を簡単に行うことができる。
【００２４】
特に、照明装置１３の取付部２４を内面部１６の表面に浴室１内側からネジ２７で固定するだけで、該固定位置とは別位置の本体２３の底部２３ｂ側でシールされることから、従来のような取付部２４における面倒なシール作業が不要となると共に、内面部１６表面のしぼ模様の有無等に係わらず、確実なシール状態を容易に確保することができる。また、膨出部１４が天井パネル４ａの成形時に同時に形成されるため、照明装置１３の取付位置をこの膨出部１４によって的確かつ容易に把握することができ、照明装置１３の取付作業が一層容易に行え、これらのことから、照明装置１３のシール作業や配線作業を含め、その取付作業を簡単かつ効率的に行うことが可能になる。
【００２５】
また、膨出部１４の照明装置１３取付用の取付孔２０が配線用の小さな開口２１を介して内外に連通するのみであるため、開口２１部分をシール材２６でシールするだけで取付孔２０の内外を確実にシールすることができ、シール作業の容易化による作業バラツキの抑制と併せ、一層確実なシール構造が得られて、照明装置１３を長期に亘り安定したシール状態で天井パネル４ａに取り付けることが可能になる。
【００２６】
また、照明装置１３の本体２３が膨出部１４の取付孔２０内に内蔵状態で取り付けられると共に、本体２３が発泡材１９と外面部１５等で取り囲まれた状態となるため、本体２３の振動や熱等の各部への伝達を発泡材１９等で防止できて、特にモータを有する付帯器具等にも好適に使用することが可能になる。
【００２７】
また、天井パネル４ａに予め取付孔２０や開口２１の無い状態で膨出部１４が一体形成されているため、照明装置１３等の付帯器具を取り付けないレイアウトの場合には、通常の天井パネルとして使用することもでき、各種レイアウトの浴室天井に適用可能な汎用性の高い天井パネル４ａを得ることが可能になる。また、膨出部１４を予め帯状に形成することにより、照明装置１３の取付位置を膨出部１４上の適宜位置に設定できて、照明装置１３等の取付位置の自由度を向上させることも可能になる。
【００２８】
なお、以上の例においては、付帯器具が照明装置１３でその本体２３に配線２５が設けられている場合について説明したが、例えば配線２５が不要な装飾用ライト等のような付帯器具の場合は、図５に示すようにして天井パネル４ａの膨出部１４に取り付けられる。すなわち、膨出部１４の内面部１６と発泡材１９に取付孔２０を形成し、この取付孔２０内に付帯器具２９の本体３０を内蔵した状態でその取付部３１を内面部１６に例えばネジ２７（もしくは接着）固定する。この時、外面部１５には配線用の開口２１を設ける必要はなく、取付孔２０部分における内外の気密性が開口２１の無い外面部１５で確実に確保されつつ、膨出部１４の内部空間が付帯器具２９の取付スペースとして使用されることになる。
【００２９】
また、上記実施形態においては、天井パネル４ａに取り付けられる付帯器具がダウンライト用の照明装置１３である場合について説明したが、本発明はこれに限定されず、例えば他の適宜の照明装置、浴室換気扇あるいは浴室音響装置のスピーカ等にも適用することができる。この時、特にスピーカの場合は、例えば膨出部１４を帯状に形成することで、この帯状の膨出部１４の両端部に左右のスピーカをそれぞれ取り付けることができると共に、帯状の膨出部１４によって例えば天井パネル４ａ自体の剛性アップを図ることも可能になる。
【００３０】
さらに、上記実施形態においては、天井パネル４ａがドーム型である場合について説明したが、例えば図５に示すように、フラット型の天井パネル４ａにも適用できるし、上記実施形態における浴室１内部の形状や天井パネル４ａ、４ｂ自体の構造等も一例であって、例えば天井パネル４ａ、４ｂとして内部に発泡材１９が充填されない中空部１８を有する構造のものを使用する等、本発明に係わる各発明の要旨を逸脱しない範囲において適宜に変更することができる。
【００３１】
【発明の効果】
以上詳述したように、請求項１に記載の発明によれば、付帯器具を天井本体の所定位置に予め設けられた膨出部の中空部内に内蔵した状態でかつ天井本体の外面部の外側に露出しない状態で取り付けできるため、例えば外面部に取付孔等を形成する必要がなくなり付帯器具の取付作業が簡単に行えると共に、外面部等により付帯器具を長期に亘り安定したシール状態で浴室天井に配設することができる。
【００３２】
また、請求項２に記載の発明によれば、請求項１に記載の発明の効果に加え、天井本体の中空部内に発泡材が充填されているため、発泡材で浴室天井の剛性等を高めて付帯器具の取付強度をアップすることができると共に、発泡材の断熱効果等によって付帯器具から天井各部への熱伝導等を防止することができて、付帯器具の一層安定した取付状態を得ることができる。
【００３３】
また、請求項３に記載の発明によれば、請求項１または２に記載の発明の効果に加え、天井本体の外面部に配線用の開口が設けられているため、開口から付帯器具の配線を浴室天井外に簡単に引き出すことができて、配線構造等を簡略化することができる。
【００３４】
また、請求項４に記載の発明によれば、請求項３に記載の発明の効果に加え、外面部の開口と付帯器具との間にシール手段が介装されているため、シール手段により配線用の比較的小さめの開口部分を確実にシールでき、シール作業自体を簡単かつ確実に行うことができる。
【００３５】
また、請求項５に記載の発明によれば、請求項１ないし４に記載の発明の効果に加え、膨出部が帯状に形成されているため、付帯器具の取付位置が特定されず膨出部の所望位置に取り付けできて、付帯器具の設置の自由度の向上が図れる等の効果を奏する。
【図面の簡単な説明】
【図１】本発明に係わる浴室天井を使用した浴室の内部斜視図
【図２】同その照明装置の取付部分の断面図
【図３】同その平面図
【図４】同照明装置の取付方法の説明図
【図５】本発明に係わる浴室天井の他の実施形態を示す図２と同様の断面図
【図６】従来の浴室天井の断面図
【図７】同その付帯器具の取付部分の断面図
【符号の説明】
１・・・・・・・・・・浴室
３ａ〜３ｄ・・・・・・壁パネル
４ａ、４ｂ・・・・・・天井パネル
５・・・・・・・・・・浴槽
１３・・・・・・・・・ダウンライト照明装置
１４・・・・・・・・・膨出部
１５・・・・・・・・・外面部
１６・・・・・・・・・内面部
１７・・・・・・・・・側面部
１８・・・・・・・・・中空部
１９・・・・・・・・・発泡材
２０・・・・・・・・・取付孔
２０ａ、２０ｂ・・・・取付孔
２１・・・・・・・・・開口
２３・・・・・・・・・本体
２４・・・・・・・・・取付部
２５・・・・・・・・・配線
２６・・・・・・・・・シール材
２９・・・・・・・・・付帯器具
【図１】
2004250921.tif 000003
【図２】
2004250921.tif 000004
【図３】
2004250921.tif 000005
【図４】
2004250921.tif 000006
【図５】
2004250921.tif 000007
【図６】
2004250921.tif 000008
【図７】
2004250921.tif 000009